(57)【要約】【課題】配管の位置出し（位置確認）が可能であるとともに、適切に隙間を埋めることができる水栓ブラケットを提供する。【解決手段】水栓ブラケット５は、壁１０３に設けられた複数の配管１１３と接続される水栓装置１１０と壁１０３との間に設置される水栓ブラケット５であって、互いに所定距離離間して配置され、軸線方向に沿って延びる複数の挿入部６１と、複数の挿入部６１どうしを結ぶ仮想線と平行且つ軸線Ｏ方向に沿い、平面状をなす平面部５１と、配管１１３それぞれの外形と対応する形状をなす位置決め部５６と、位置決め部５６が配管１１３の外形に沿って配置された状態で、壁１０３と水栓装置１１０との間の隙間を埋めるスペーサ部６６と、を備える。【選択図】図３
2018053652.tif 000002
【特許請求の範囲】
【請求項１】
壁に設けられた複数の配管と接続される水栓装置と前記壁との間に設置される水栓ブラケットであって、
互いに所定距離離間して配置され、軸線方向に沿って延びる複数の挿入部と、
前記複数の挿入部どうしを結ぶ仮想線と平行且つ前記軸線方向に沿い、平面状をなす平面部と、
前記配管それぞれの外形と対応する形状をなす位置決め部と、
該位置決め部が前記配管の外形に沿って配置された状態で、前記壁と前記水栓装置との間の隙間を埋めるスペーサ部と、を備える水栓ブラケット。
【請求項２】
前記位置決め部は、前記配管の形状に対応して湾曲して形成されている請求項１に記載の水栓ブラケット。
【請求項３】
前記位置決め部が前記配管の外形に沿って配置された状態で、前記位置決め部の後側には、前記配管の後部と当接する当接部が設けられている請求項１または２に記載の水栓ブラケット。
【請求項４】
前記挿入部は、基端部側から先端部側に向かうにしたがって次第に径を小さくするテーパー状に形成されている請求項１から３のいずれか一項に記載の水栓ブラケット。
【請求項５】
前記位置決め部が前記配管の外形に沿って配置された状態で、前記平面部の少なくとも一部は、前記水栓装置のハウジングの後端部と前記壁との間に配置され、前記スペーサ部として機能する請求項１から４のいずれか一項に記載の水栓ブラケット。
【発明の詳細な説明】
【技術分野】
【０００１】
本発明は、水栓ブラケットに関する。
【背景技術】
【０００２】
従来から、浴室等には、壁に設けられたクランク脚等の配管に水栓装置が取り付けられている。温水用及び冷水用の各クランク脚等の配管が離間して設けられ、これら配管の接続口に水栓装置の温水用及び冷水用の接続口が接続されている。
【０００３】
水栓装置の各接続口は所定距離離間した既定の位置に設置されているため、現場で、水栓装置を取り付ける際には、配管の接続口どうしの離間距離や、配管の接続口どうしが鉛直方向にずれていないか等を確認し、適切な位置に調整して、水栓装置を取り付ける必要がある。特許文献１では、複数の配管の位置を確認する治具が提案されている。
【先行技術文献】
【特許文献】
【０００４】
【特許文献１】特開２００１−３４１０号公報
【発明の概要】
【発明が解決しようとする課題】
【０００５】
ところで、水栓装置と壁との間には、壁から使用者側に向かう方向（前後方向）に隙間が生じる場合があり、この隙間から水栓装置内に水等が浸入しないように、隙間を埋める必要がある。
【０００６】
そこで、本発明は、上記事情に鑑みてなされたものであり、配管の位置出し（位置確認）が可能であるとともに、隙間を埋めることができる水栓ブラケットを提供する。
【課題を解決するための手段】
【０００７】
上記目的を達成するために、本発明は以下の手段を採用している。
すなわち、本発明に係る水栓ブラケットは、壁に設けられた複数の配管と接続される水栓装置と前記壁との間に設置される水栓ブラケットであって、互いに所定距離離間して配置され、軸線方向に沿って延びる複数の挿入部と、前記複数の挿入部どうしを結ぶ仮想線と平行且つ前記軸線方向に沿い、平面状をなす平面部と、前記配管それぞれの外形と対応する形状をなす位置決め部と、該位置決め部が前記配管の外形に沿って配置された状態で、前記壁と前記水栓装置との間の隙間を埋めるスペーサ部と、を備える。
【０００８】
このように構成された水栓ブラケットでは、互いに所定距離離間して配置され軸線方向に沿って延びる複数の挿入部を、壁に設けられた複数の配管に挿入することにより、複数の配管が所定距離（規定の距離）離間して配置されているかを確認することができる。また、複数の挿入部どうしを結ぶ仮想線と平行且つ軸線方向に沿い平面状をなす平面部を有するため、挿入部を配管に挿入した状態で、複数の挿入部どうしを結ぶ仮想線が水平であれば、平面部は水平をなす。よって、平面部を目視したり、平面部に水平器を載せたりして、配管どうしが鉛直方向にずれていないかを確認することができる。このように、配管の位置出し（位置確認）が可能である。
また、配管それぞれの外形と対応する形状をなす位置決め部を有するため、位置決め部が配管それぞれの外形に沿った位置に配置することができるとともに、この状態でスペーサ部が壁と水栓装置との間の隙間を埋める。よって、水栓ブラケットを適切な位置に配置して、隙間を確実に埋めることができる。
また、配管の位置出しをする治具として使用した水栓ブラケットと、壁と水栓装置との間の隙間を埋めるスペーサとして使用できるため、治具とスペーサとを別々に設ける必要がなく、部品点数を抑えることができるとともに効率的である。
【０００９】
また、本発明に係る水栓ブラケットは、前記位置決め部は、前記配管の形状に対応して湾曲して形成されていることが好ましい。
【００１０】
このように構成された水栓ブラケットでは、位置決め部は配管の形状に対応して湾曲して形成されているため、水栓ブラケットの位置決めがしやすい。
【００１１】
また、本発明に係る水栓ブラケットは、前記位置決め部が前記配管の外形に沿って配置された状態で、前記位置決め部の後側には、前記配管の後部と当接する当接部が設けられていてもよい。
【００１２】
このように構成された水栓ブラケットでは、位置決め部を配管の外形に沿って配置した状態で、位置決め部の後側に設けられた当接部を配管の後部に当接させる。これにより、水栓ブラケットが配管により壁側（後側）押圧され、水栓ブラケットが前側に傾倒することが抑制される。
【００１３】
また、本発明に係る水栓ブラケットは、前記挿入部は、基端部側から先端部側に向かうにしたがって次第に径を小さくするテーパー状に形成されていてもよい。
【００１４】
このように構成された水栓ブラケットでは、挿入部は基端部側から先端部側に向かうにしたがって次第に径を小さくするテーパー状に形成されているため、壁に設けられた配管に挿入部を挿入する際に挿入しやすい。
【００１５】
また、本発明に係る水栓ブラケットは、前記位置決め部が前記配管の外形に沿って配置された状態で、前記平面部の少なくとも一部は、前記水栓装置のハウジングの後端部と前記壁との間に配置され、前記スペーサ部として機能してもよい。
【００１６】
このように構成された水栓ブラケットでは、位置決め部が配管の外形に沿って配置された状態で、平面部の少なくとも一部は水栓装置のハウジングの後端部と壁との間に配置されている。よって、ハウジングの後端部と壁との間に形成される隙間を、平面部が埋めることができる。
【発明の効果】
【００１７】
本発明に係る水栓ブラケットによれば、配管の位置出し（位置確認）が可能であるとともに、適切に隙間を埋めることができる。
【図面の簡単な説明】
【００１８】
【図１】本発明の一実施形態に係る水栓ブラケットが設けられた水栓装置が用いられた浴室の一部を示す斜視図である。
【図２】本発明の一実施形態に係る水栓ブラケットが設けられた水栓装置を示す斜視図である。
【図３】図２のＡ−Ａ断面図である。
【図４】本発明の一実施形態に係る水栓装置の分解斜視図である。
【図５】本発明の一実施形態に係る水栓ブラケットの斜視図である。
【図６】本発明の一実施形態に係る水栓ブラケットを図５と異なる角度から見た斜視図である。
【図７】本発明の一実施形態に係る水栓ブラケットを治具として使用する状態を示す図である。
【発明を実施するための形態】
【００１９】
以下、本発明の一実施形態に係る水栓ブラケットについて、図面を用いて説明する。
図１は、本発明の一実施形態に係る水栓ブラケットが設けられた水栓装置が用いられた浴室の一部を示す斜視図である。
図１に示すように、浴室１００は、浴槽１０１と、浴槽１０１に隣接配置された洗い場１０２と、浴槽１０１及び洗い場１０２の外周に立設された壁１０３と、壁１０３に設けられた水栓装置１１０、カウンター１０４、鏡１０５及びスライドバー１０６と、スライドバー１０６に沿って上下方向にスライド可能とされたシャワーフック１０７と、水栓装置１１０から延びるホース１０８と、ホース１０８に設けられシャワーフック１０７に係止可能とされたシャワーヘッド１０９と、を備えている。
【００２０】
図２は、水栓ブラケットが設けられた水栓装置１１０を示す斜視図である。図３は、図２のＡ−Ａ断面図である。図４は、水栓装置１１０の分解斜視図である。
図２から図４に示すように、水栓装置１１０は、壁１０３に設けられたクランク脚１１１と接続される水栓本体１と、水栓本体１を収容するハウジング２と、水栓本体１を操作するための複数の押しボタン３及び操作ダイヤル４と、を備えている。また、水栓装置１１０と壁１０３との間には、水栓ブラケット５が配置されている。
以下の説明において、水栓装置１１０が取り付けられる壁１０３（図１参照。以下同じ。）側を後方、その反対側（操作者側）を前方、前方と後方とを結ぶ前後方向と直交する水平方向を左右方向と称することがある。
【００２１】
水栓装置１１０では、操作者が押しボタン３を押圧操作することにより、吐水と止水との切り替えが可能とされている。また、操作者が操作ダイヤル４を回すことにより、カラン及びシャワーの温度を調整できる。
【００２２】
図４に示すように、クランク脚１１１は、壁１０３の後側（裏側）には、給水用の元配管、給湯用の元配管（いずれも不図示）にそれぞれ接続されている。クランク脚１１１は、左右方向に離間して一対設けられている。
【００２３】
各クランク脚１１１は、これら元配管とシール状態で螺子接続され壁１０３から水平方向に延びる管体１１２と、管体１１２と接続され上方に延びる管体（配管）１１３と、管体１１３の先端部に設けられたナット１１４と、を有している。ナット１１４により管体１１３の接続口１１３ａが、水栓本体１に設けられた接続口１ａに螺子接続されている。また、管体１１３の基端部には、壁１０３の後側の元配管と管体１１３との接続部を覆って隠蔽する椀座１１５が設けられている。
【００２４】
ハウジング２は、上面を形成する天面パネル２１と、天面パネル２１の反対側に配置される底面パネル２２と、天面パネル２１と底面パネル２２とを連結する中間カバー２３と、を備えている。
【００２５】
天面パネル２１の下面には、下方に向かって突出する複数の取付部２１ａが設けられている。また、底面パネル２２の上面には、上方に向かって突出する複数の取付部２２ａが設けられている。これら取付部２１ａ，２２ａは、それぞれ水栓本体１や中間カバー２３と不図示の螺子で螺合されている。
【００２６】
底面パネル２２の側部及び前端部には、下方に向かって凹む凹部２２ｂが形成されている。凹部２２ｂには、それぞれ操作ダイヤル４及び押しボタン３が配置されている。
【００２７】
中間カバー２３は、上方から見て四方枠状に形成された枠部２４と、枠部２４の左右両端部から下方に延びる側壁部２５と、枠部２４の前端部から下方に延びる前壁部２６と、を有している。
【００２８】
一方の側壁部２５の下部には、上方に向かって凹む凹部２５ｂが形成されている。凹部２５ｂには、操作ダイヤル４が配置されている。
【００２９】
前壁部２６には、前後方向に貫通する貫通孔２６ｈが左右方向に離間して一対形成されている。貫通孔２６ｈには、それぞれ押しボタン３が配置されている。
【００３０】
中間カバー２３の前壁部２６の後面には、後方に向かって突出する取付板部２６ａが複数設けられている。取付板部２６ａは、水栓本体１に設けられた固定部１６と不図示の螺子で螺合されている。
【００３１】
図５は、壁１０３に取り付けられた水栓ブラケット５を前方且つ上方から見た斜視図である。図６は、壁１０３に取り付けられた水栓ブラケット５を後方且つ下方から見た斜視図である。
図５及び図６に示すように、水栓ブラケット５は、平面状に形成された第一平面部（平面部）５１と、第一平面部５１と直交して配置され平面状に形成された第二平面部５２と、第二平面部５２の両端部に直交して配置された第三平面部５３と、第一平面部５１の反対側に配置された第四面部５４と、を有している。
以下の説明において、第一平面部５１を上方に、第四面部５４を下方に向けて配置して、第一平面部５１側を上方、第四面部５４側を下方と称することがある。
【００３２】
第一平面部５１は、第二平面部５２側を長辺５１ｘとし第三平面部５３側を短辺５１ｙとした長矩形状に形成されるとともに、第一平面部５１を上から見て、第二平面部５２側と反対側には、該反対側に向かって突出する第一突出部５１ａが形成されている。
【００３３】
第一突出部５１ａには、長辺５１ｘに沿う方向の中央部に、第二平面部５２側とは反対側に向かってさらに突出する第二突出部５１ｂが形成されている。なお、第一突出部５１ａ及び第二突出部５１ｂは、形成されていなくてもよい。
【００３４】
第一平面部５１、第一突出部５１ａ及び第二突出部５１ｂは、同一平面上に形成されている。
【００３５】
第一平面部５１と第四面部５４とは、複数の縦リブ５５で連結されている。第四面部５４には、上向きに膨らむ円弧状をなす湾曲部（位置決め部）５６が形成されている。湾曲部５６は、管体１１３の上部１１３ｕ（図４参照）の外形と対応した形状をなしている。
【００３６】
第一平面部５１の下部（第四面部５４側）には、筒状に形成された挿入部６１が形成されている。挿入部６１は、第一平面部５１と湾曲部５６の上下方向の間に配置されている。
【００３７】
挿入部６１は、第一平面部５１に沿い、第二平面部５２と直交する方向（軸線Ｏ方向）に延びている。図３に示すように、挿入部６１の外形は、基端部６１ａ側から先端部６１ｂ側に向かうにしたがって次第に径を小さくするテーパー状に形成されている。
【００３８】
挿入部６１は、水栓本体１に設けられた一対の接続口１ａと対応した距離離間して、一対形成されている。挿入部６１どうしを結んだ仮想線Ｐ（図５では先端部６１ｂどうしを結んでいるが、基端部どうし６１ａどうしを結んだ仮想線でもよい）が、第一平面部５１と平行になるように、挿入部６１は形成されている。
【００３９】
挿入部６１の内部には、軸線Ｏ方向に延びる穴部６１ｈが形成されている。図３に示すように、穴部６１ｈは、第二平面部５２の手前まで延びている。
【００４０】
図６に示すように、第二平面部５２には、軸線Ｏ方向に貫通する貫通孔５２ｈが形成さされている。湾曲部５６の下面には、第二平面部５２から軸線Ｏ方向に沿って延びる支持リブ５７が形成されている。
【００４１】
図３に示すように、水栓ブラケット５は、ハウジング２と壁１０３との間に配置されている。詳細には、水栓ブラケット５は、第一平面部５１の後部５１ｚがハウジング２の中間カバー２３の後端部の下端部２３ｂに当接し、第二平面部５２が壁１０３に当接して配置されている。挿入部６１の軸線Ｏ方向が、前後方向に沿って配置されている。
【００４２】
次に、上記の水栓装置１１０をクランク脚１１１に接続する方法について説明する。
図７は、水栓ブラケット５を治具として使用する状態を示す図である。
図７に示すように、まず、壁１０３に設けられたクランク脚１１１が、所定距離離間して配置されているか、及び鉛直方向にずれていないかを確認する。
【００４３】
水栓ブラケット５を、第一平面部５１が上方を向くように配置して、各挿入部６１を各クランク脚１１１の管体１１３の接続口１１３ａ内に挿入する。挿入部６１は水栓本体１に設けられた一対の接続口１ａ（図４参照）と対応した距離離間して形成されているため、各挿入部６１が接続口１１３ａ内に挿入できなかったり、挿入しづらかったりする場合には、管体１１３の接続口１１３ａが接続口１ａと対応した位置にないと判断できる。この場合には、挿入部６１が挿入できる位置に、管体１１３を位置調整する。
【００４４】
挿入部６１を管体１１３の接続口１１３ａ内に挿入した状態で、第一平面部５１が水平になっているかを確認する。第一平面部５１に水平器を載置して確認したり、目視により確認する。第一平面部５１が水平になっていない場合にも、管体１１３を位置調整する。第一平面部５１には第一突出部５１ａ及び第二突出部５１ｂが設けられているため、第一平面部５１は水平器を設置可能な十分な面積を有している。
【００４５】
なお、挿入部６１の外形は基端部６１ａから先端部６１ｂに向かうにしたがって次第に径を小さくするテーパー状に形成されているため、挿入部６１を接続口１１３ａに挿入する際には、挿入しやすい。
【００４６】
管体１１３の離間距離が所定距離であり、鉛直方向にずれがないことが確認できたら、水栓ブラケット５の前後方向の向きを変える。つまり、図４に示すように第二平面部５２が壁１０３側を向くようにする。
【００４７】
そして、図３に示すように、水栓ブラケット５の第二平面部５２を壁１０３に当接させ、湾曲部５６を管体１１３の上部１１３ｕに当接させて、水栓ブラケット５を壁１０３に貫通孔５２ｈから螺子等で固定する。この状態で、支持リブ５７の前端部（当接部）５７ｆは管体１１３の後端部１１３ｂに当接して、水栓ブラケット５は壁１０３と管体１１３との間で前後方向に挟み込まれている。これにより、水栓ブラケット５の前側への傾倒が抑制されている。
【００４８】
次に、図４に示すように、水栓本体１の接続口１ａを、管体１１３の接続口１１３ａに接続する。
【００４９】
次に、水栓本体１に対して上方から中間カバー２３を配置して、上側に天面パネル２１を配置して、下側に底面パネル２２を配置する。中間カバー２３の取付板部２６ａを水栓本体１の固定部１６に螺子で螺合し、取付部２１ａ，２２ａを水栓本体１や中間カバー２３に螺子（不図示）で螺合する。
【００５０】
図３に示すように、壁１０３と中間カバー２３等のハウジング２の後部との間に形成される前後方向の隙間は、水栓ブラケット５により塞がれる。詳細には、隙間の上部は水栓ブラケット５の第一平面部５１により塞がれ、隙間の下部は第四面部５４により塞がれ、隙間の左右側は第三平面部５３により塞がれる。つまり、図６に示す第一平面部５１の後部５１ｚ、第三平面部５３の後部５３ｚ及び第四面部５４の後部５４ｚは、隙間を塞ぐスペーサ部６６として機能している。
【００５１】
このように構成された水栓ブラケット５では、互いに所定距離離間して配置され軸線Ｏ方向に沿って延びる複数の挿入部６１を、壁１０３に設けられた複数の管体１１３に挿入することにより、複数の管体１１３が所定距離（規定の距離）離間して配置されているかを確認することができる。また、複数の挿入部６１どうしを結ぶ仮想線Ｐと平行且つ軸線Ｏ方向に沿い平面状をなす第一平面部５１を有するため、挿入部６１を管体１１３に挿入した状態で、複数の挿入部６１どうしを結ぶ仮想線Ｐが水平であれば、第一平面部５１は水平をなす。よって、第一平面部５１を目視したり、第一平面部５１に水平器を載せたりして、管体１１３どうしが鉛直方向にずれていないかを確認することができる。このように、管体１１３の位置出し（位置確認）が可能である。
【００５２】
また、管体１１３それぞれの外形と対応する形状をなす湾曲部５６を有するため、湾曲部５６が管体１１３それぞれの外形に沿った位置に配置することができるとともに、この状態でスペーサ部６６が壁１０３と水栓装置１１０との間の隙間を埋める。よって、水栓ブラケット５を適切な位置に配置でき、隙間を確実に埋めることができる。
【００５３】
また、管体１１３の位置出しをする治具として使用した水栓ブラケット５を、壁１０３と水栓装置１１０との間の隙間を埋めるスペーサとして使用できるため、治具とスペーサとを別々に設ける必要がなく、部品点数を抑えることができるとともに効率的である。
【００５４】
また、湾曲部５６は管体１１３の形状に対応して湾曲して形成されているため、水栓ブラケット５の位置決めがしやすい。
【００５５】
また、湾曲部５６を管体１１３の外形に沿って配置した状態で、湾曲部５６の後側に設けられた支持リブ５７の前端部５７ｆを管体１１３の後端部１１３ｂに当接させる。これにより、水栓ブラケット５が管体１１３により壁１０３側（後側）押圧され、水栓ブラケット５が前側に傾倒することを抑制される。
【００５６】
また、挿入部６１は基端部６１ａ側から先端部６１ｂ側に向かうにしたがって次第に径を小さくするテーパー状に形成されているため、挿入部６１を壁１０３に設けられた管体１１３に挿入する際に挿入しやすい。
【００５７】
また、湾曲部５６が管体１１３の外形に沿って配置された状態で、第一平面部５１の後部５１ｚ、第三平面部５３の後部５３ｚ及び第四面部５４の後部５４ｚはハウジング２の後端部と壁１０３との間に配置されている。よって、ハウジング２の後端部と壁１０３との間に形成される隙間を、第一平面部５１、第三平面部５３及び第四面部５４が埋めることができる。
【００５８】
なお、上述した実施の形態において示した各構成部材の諸形状や組み合わせ等は一例であって、本発明の主旨から逸脱しない範囲において設計要求等に基づき種々変更可能である。
【符号の説明】
【００５９】
１…水栓本体
２…ハウジング
３…押しボタン
４…操作ダイヤル
５…水栓ブラケット
２１…天面パネル
２２…底面パネル
２３…中間カバー
５１…第一平面部（平面部）
５１ｚ…後部（スペーサ部）
５３ｚ…後部（スペーサ部）
５４ｚ…後部（スペーサ部）
５６…湾曲部（位置決め部）
５７…支持リブ
５７ｆ…前端部（当接部）
６１…挿入部
６６…スペーサ部
１１０…水栓装置
１１３…管体（配管）
Ｏ…軸線
Ｐ…仮想線
【図１】
2018053652.tif 000003
【図２】
2018053652.tif 000004
【図３】
2018053652.tif 000005
【図４】
2018053652.tif 000006
【図５】
2018053652.tif 000007
【図６】
2018053652.tif 000008
【図７】
2018053652.tif 000009